(57)【要約】  コネクタ位置保証デバイス２００は、ベース部分２０２と、対の弾性変形可能ビーム２０４、２０５とを有する。カム係合部材２５０が、対の弾性変形可能ビーム２０４、２０５の側壁２５６から延びる。第１のロックアウト突起係合部材２３０が、対の弾性変形可能ビーム２０４、２０５のビーム前端部２２４に近接して設けられ、第１のビーム２０４と第２のビーム２０５との間に延びる。第２のロックアウト突起係合部材２４０が、ベース前端部２１０から離間し、かつ第１のロックアウト突起係合部材２３０から離間している。第２のロックアウト突起係合部材２４０が、第１のビーム２０４と第２のビーム２０５との間に延びる。ロックアウト突起受入開口部２５４が、第１のロックアウト突起係合部材２３０、第２のロックアウト突起係合部材２４０、および対の弾性変形可能ビーム２０４、２０５の一部によって形成されている。【選択図】図４
2021519490.tif 000002
【特許請求の範囲】
【請求項１】
コネクタ位置保証デバイス（２００）であって、
- 上面（２０６）、底面（２０８）、ベース前端部（２１０）、およびベース後端部（２１２）を有するベース部分（２０２）と、
- 前記ベース後端部（２１２）から離れる方向へ前記ベース前端部（２１０）から延びる対の弾性変形可能ビーム（２０４、２０５）であって、前記ベース部分（２０２）から離間したビーム前端部（２２４）を有する対の弾性変形可能ビーム（２０４、２０５）と、
- 前記対の弾性変形可能ビーム（２０４、２０５）の第２のビーム（２０５）から離れる方向へ、前記対の弾性変形可能ビーム（２０４、２０５）の第１のビーム（２０４）の側壁（２５６）から延びる第１のカム係合部材（２５０）と、
- 前記対の弾性変形可能ビーム（２０４、２０５）の前記第１のビーム（２０４）から離れる方向へ、前記対の弾性変形可能ビーム（２０４、２０５）の前記第２のビーム（２０５）の側壁（２５６）から延びる第２のカム係合部材（２５０）と、
- 前記対の弾性変形可能ビーム（２０４、２０５）の前記ビーム前端部（２２４）に近接して設けられ、前記第１のビーム（２０４）と前記第２のビーム（２０５）との間に延びる第１のロックアウト突起係合部材（２３０）と、
- 前記ベース前端部（２２４）から離間し、かつ前記第１のロックアウト突起係合部材（２３０）から離間し、前記第１のビーム（２０４）と前記第２のビーム（２０５）との間に延びる第２のロックアウト突起係合部材（２４０）と、
- 前記第１のロックアウト突起係合部材（２３０）、前記第２のロックアウト突起係合部材（２４０）、および前記対の弾性変形可能ビーム（２０４、２０５）の一部によって形成されているロックアウト突起受入開口部（２５４）と、
を備え、
前記コネクタ位置保証デバイス（２００）は、前記第１のカム係合部材（２５０）および前記第２のカム係合部材（２５０）が相手側コネクタ（１００）のカム部材に係合して、前記相手側コネクタ（１００）のロックアウト突起を前記ロックアウト突起受入開口部（２５４）に位置決めすることができるようになるまで、コネクタ（１０）における初期位置に維持される、
コネクタ位置保証デバイス。
【請求項２】
ラッチ係合部（２１６）が、前記ベース前端部（２１０）に設けられ、前記ベース部分（２０２）の前記上面（２０６）から延びる、
請求項１に記載のコネクタ位置保証デバイス（２００）。
【請求項３】
引込み面（２３２）が、前記ビーム前端部（２２４）および前記第１のロックアウト突起係合部材（２３０）にわたって延びる、
請求項１に記載のコネクタ位置保証デバイス（２００）。
【請求項４】
前記第１のロックアウト突起係合部材（２３０）の後面（２３４）が、前記対の弾性変形可能ビーム（２０４、２０５）の上面（２２０）に略垂直な方向へ延びる、
請求項３に記載のコネクタ位置保証デバイス（２００）。
【請求項５】
前記第２のロックアウト突起係合部材（２４０）の長手方向軸が、前記対の弾性変形可能ビーム（２０４、２０５）の長手方向軸に略垂直に延びる、
請求項１に記載のコネクタ位置保証デバイス（２００）。
【請求項６】
前記第２のロックアウト突起係合部材（２４０）の前側面（２４６）がテーパ状であって、前記第２のロックアウト突起係合部材（２４０）の底面（２４４）が前記第２のロックアウト突起係合部材（２４０）の上面（２４２）よりも幅広になっている、
請求項５に記載のコネクタ位置保証デバイス（２００）。
【請求項７】
前記第１のカム係合部材（２５０）および前記第２のカム係合部材（２５０）が傾斜面（２５２）を有する、
請求項１に記載のコネクタ位置保証デバイス（２００）。
【請求項８】
弾性位置決めアーム（２６０）が前記ベース部分（２０２）の前記底面（２０８）から延びる、
請求項１に記載のコネクタ位置保証デバイス（２００）。
【請求項９】
前記弾性位置決めアーム（２６０）はＶ字形部材を形成し、側部を形成する、
請求項８に記載のコネクタ位置保証デバイス（２００）。
【請求項１０】
前記弾性位置決めアーム（２６０）の自由端に第１のラッチ突起（２６２）が設けられ、
第２のラッチ突起（２６４）が各弾性位置決めアーム（２６０）に設けられ、前記第１のラッチ突起（２６２）から離間し、
前記弾性位置決めアーム（２６０）は、前記コネクタ位置保証デバイス（２００）がコネクタ（１０）から外れることを防ぎ、前記コネクタ位置保証デバイス（２００）を前記コネクタ（１０）における前記初期位置に保持する、
請求項９に記載のコネクタ位置保証デバイス（２００）。
【請求項１１】
レール突起（２７０）が前記ベース部分（２０２）の側壁（２５６）から延び、前記レール突起（２７０）は前記ベース前端部（２１０）から前記ベース後端部（２１２）へ延びる、
請求項１に記載のコネクタ位置保証デバイス（２００）。
【請求項１２】
前記レール突起（２７０）の長手方向軸が、前記対の弾性変形可能ビーム（２０４、２０５）の長手方向軸に略平行で、前記ビーム（２０４、２０５）の前記長手方向軸と一直線である、
請求項１１に記載のコネクタ位置保証デバイス（２００）。
【発明の詳細な説明】
【技術分野】
【０００１】
本発明は、相手側コネクタが適切に嵌合していることを保証する適切なコネクタ位置保証をもたらす、コネクタ位置保証デバイス、電気コネクタ、および電気コネクタアセンブリに関する。特に、コネクタ位置保証デバイス、電気コネクタ、および電気コネクタアセンブリは、小型のコネクタアセンブリの適切なコネクタ位置保証をもたらす。
【背景技術】
【０００２】
ある応用例において、電子部品は、電気コンタクトを含む第１のハウジングと第２のハウジングとを結合する電気コネクタアセンブリを必要とする。一方のハウジングは雄電気コンタクトを含み、他方のハウジングは雌電気コンタクトを含む。第１のハウジングは、第２のハウジング内に受け入れられて、雄電気コンタクトと雌電気コンタクトとが電気的に接続するように構成されている。第１のハウジングと第２のハウジングとが電気コンタクトに適切に接続されることを保証するために、第１のハウジングと第２のハウジングとは、より一般的に位置保証機構と呼ばれるラッチアセンブリを備える。公知の応用例において、ラッチアセンブリは、ベースプレートと、第１のハウジングの吊下プロング（suspended prong）と、第２のハウジングの傾斜面（ramp）とを含む。ベースプレートは、プロングの近くに摺動可能に保持される。
第１のハウジングが第２のハウジングの周りに挿入されると、プロングは傾斜面にスナップ嵌めされ、その後、ベースプレートは傾斜面およびプロング上を摺動して係合位置に入る。多くの応用例において、通常、可聴クリック音を使用して、コネクタが完全に嵌合しているかどうかを検出する。しかしながら、組立工場の騒音のため、これが有効でないことがある。
【０００３】
加えて、ラッチまたは保持アセンブリを使用して、コネクタ半部をコネクタ位置保証（ＣＰＡ）デバイスと共に完全嵌合位置に維持する電気コネクタが提案されている。コネクタ半部が嵌合し、ラッチまたは保持アセンブリがコネクタ半部間の接触を維持するように位置決めされると、コネクタ位置保証デバイスは、コネクタ半部が適切に接続されていることを示す位置へ動く。したがって、コネクタ位置保証デバイスは、コネクタ半部が完全に嵌合することを保証する手段を提供する。
【発明の概要】
【発明が解決しようとする課題】
【０００４】
解決すべき課題は、前述した問題を克服し、小型のコネクタアセンブリの適切なコネクタ位置保証をもたらすコネクタ位置保証デバイスを提供することである。また、コネクタが部分的に嵌合している、または全く嵌合していない場合に、コネクタ位置保証が完全係合位置になることを防止または阻止することが有利となる。
【課題を解決するための手段】
【０００５】
この課題は、ベース部分と対の弾性変形可能ビームとを有するコネクタ位置保証デバイスによって解決される。ベース部分は、上面、底面、ベース前端部、およびベース後端部を有する。対の弾性変形可能ビームは、ベース後端部から離れる方向へベース前端部から延び、ビームはベース部分から離間したビーム前端部を有する。第１のカム係合部材は、対の弾性変形可能ビームの第２のビームから離れる方向へ、対の弾性変形可能ビームの第１のビームの側壁から延びる。第２のカム係合部材は、対の弾性変形可能ビームの第１のビームから離れる方向へ、対の弾性変形可能ビームの第２のビームの側壁から延びる。第１のロックアウト突起係合部材（first lockout projection engagement member）が、対の弾性変形可能ビームのビーム前端部に近接して設けられ、第１のビームと第２のビームとの間に延びる。第２のロックアウト突起係合部材（second lockout projection engagement member）が、ベース前端部から離間し、かつ第１のロックアウト突起係合部材から離間している。
第２のロックアウト突起係合部材は、第１のビームと第２のビームとの間に延びる。ロックアウト突起受入開口部が、第１のロックアウト突起係合部材、第２のロックアウト突起係合部材、および対の弾性変形可能ビームの一部によって形成されている。コネクタ位置保証デバイスは、第１のカム係合部材および第２のカム係合部材が相手側コネクタのカム部材に係合して、相手側コネクタのロックアウト突起をロックアウト突起受入開口部に位置決めすることができるようになるまで、コネクタにおける初期位置に維持される。
【０００６】
以下で、添付図面を参照しながら、本発明を例として説明する。
【図面の簡単な説明】
【０００７】
【図１】例示的なヘッダまたは相手側コネクタに嵌合している例示的なプラグコネクタの斜視図である。
【図２】図１のプラグコネクタの上面斜視図である。
【図３】図１のヘッダまたは相手側コネクタの正面斜視図である。
【図４】プラグコネクタに収容される例示的なコネクタ位置保証部材の上面斜視図である。
【図５】図４のコネクタ位置保証部材の底面斜視図である。
【図６Ａ】コネクタ位置保証部材が初期位置にある状態で、プラグコネクタが最初にヘッダまたは相手側コネクタに係合する様子を示す、コネクタ位置保証部材のビームの断面図である。
【図６Ｂ】コネクタ位置保証部材が初期位置にある状態で、プラグコネクタが最初にヘッダまたは相手側コネクタに係合する様子を示す、プラグコネクタのラッチ突起の断面図である。
【図６Ｃ】初期位置にあるコネクタ位置保証部材を示す、プラグコネクタの位置決めアームの断面図である。
【図７Ａ】コネクタ位置保証部材が初期位置にある状態で、プラグコネクタがヘッダまたは相手側コネクタに部分的に嵌合する様子を示す、コネクタ位置保証部材のビームの断面図である。
【図７Ｂ】コネクタ位置保証部材が初期位置にある状態で、プラグコネクタがヘッダまたは相手側コネクタに部分的に嵌合する様子を示す、プラグコネクタのラッチ突起の断面図である。
【図８Ａ】コネクタ位置保証部材が初期位置にある状態で、プラグコネクタがヘッダまたは相手側コネクタに、図７Ａに示したものよりも完全に嵌合する様子を示す、コネクタ位置保証部材のビームの断面図である。
【図８Ｂ】コネクタ位置保証部材が初期位置にある状態で、プラグコネクタがヘッダまたは相手側コネクタに、図７Ｂに示したものよりも完全に嵌合する様子を示す、プラグコネクタのラッチ突起の断面図である。
【図９Ａ】コネクタ位置保証部材が初期位置と最終位置もしくはロック位置との間にある状態で、プラグコネクタがヘッダまたは相手側コネクタに完全に嵌合する様子を示す、コネクタ位置保証部材のビームの断面図である。
【図９Ｂ】コネクタ位置保証部材が初期位置と最終位置もしくはロック位置との間にある状態で、プラグコネクタがヘッダまたは相手側コネクタに完全に嵌合する様子を示す、プラグコネクタのラッチ突起の断面図である。
【図１０Ａ】コネクタ位置保証部材が最終位置もしくはロック位置にある状態で、プラグコネクタがヘッダまたは相手側コネクタに完全に嵌合する様子を示す、コネクタ位置保証部材のビームの断面図である。
【図１０Ｂ】コネクタ位置保証部材が最終位置もしくはロック位置にある状態で、プラグコネクタがヘッダまたは相手側コネクタに完全に嵌合する様子を示す、プラグコネクタのラッチ突起の断面図である。
【図１０Ｃ】コネクタ位置保証部材が最終位置もしくはロック位置にある状態で、プラグコネクタがヘッダまたは相手側コネクタに完全に嵌合する様子を示す、プラグコネクタの位置決めアームの断面図である。
【発明を実施するための形態】
【０００８】
図１は、電気コネクタ１０（またはプラグ１０）が相手側コネクタ１００（またはヘッダ１００）に嵌合して、共にコネクタアセンブリ５０を形成する様子を示す斜視図である。電気コネクタ１０および相手側コネクタ１００は、代表的なものとして示されており、本発明の範囲から逸脱することなく変更可能である。コネクタ１０、１００は、図示しないコンタクトおよびコンタクトラッチなどの多くの他の機構を有する。
【０００９】
図２を参照すると、電気コネクタ１０は、コンタクト１３（図６Ａ）を受け入れるためのコンタクト受入通路１４を備えたハウジング本体１２を有する。電気コネクタ１０は、嵌合前端部１６と後端部１８とを有する。通路１４に挿入されたコンタクト１３に電気的に係合する導体またはワイヤ１５が、後端部１８から延びる。第１の面または上面１９と、反対側を向く第２の面または底面２０とが、嵌合端部１６と後端部１８との間に延びる。
【００１０】
係合面２３とラッチ開口部２４とを有するラッチまたはラッチアーム２２が、上面１９から延びる。図示した実施形態において、ラッチ２２は嵌合前端部１６に近接して上面１９に接続され、後端部１８に向かって延びる。より完全に後述するように、ラッチ２２を使用して、相手側コネクタ１００をコネクタ１０にラッチ止めして固定する。
【００１１】
図６〜図１０に示すように、コネクタ位置保証（ＣＰＡ）受入凹部３０がラッチアーム２２に近接して位置決めされている。コネクタ位置保証ラッチアーム受入開口部３２が、後端部１８から嵌合端部１６に向かって延びる。コネクタ位置保証ラッチアーム受入開口部３２は、コネクタ位置保証受入凹部３０の下方に近接して位置決めされる。
【００１２】
図３に最もよく示すように、相手側コネクタ１００は相補ラッチ突起１１０を有し、この相補ラッチ突起１１０は、コネクタ１０と相手側コネクタとが非嵌合位置から嵌合位置へ動くとラッチアーム２２に係合するように位置決めされる。図示した実施形態において、ラッチ突起１１０は、相手側コネクタ１００のシュラウド１２０の上面１１２から下方へ延びる。
【００１３】
適切に嵌合すると、ラッチ突起１１０はラッチ開口部２４と協働し、ラッチ開口部２４に位置決めされて、相手側コネクタ１００を電気コネクタ１０に固定する。嵌合位置で、コネクタ１０は相手側コネクタ１００のシュラウド１２０内に受け入れられる。相手側コネクタ１００の電気コンタクト１３０（図６Ａおよび図６Ｂ）が、電気コネクタ１０の電気コンタクト１３に嵌合する。
【００１４】
コネクタ位置保証係合リブまたは起動突起１４０が、ラッチ突起１１０の両側に設けられる。起動突起１４０は、ラッチ突起１１０から離間し、相手側コネクタ１００の内面１２３から延びる。この内面１２３は、シュラウド１２０の上面１１２から離間し、上面１１２に対向する。
【００１５】
図６〜図１０に示すように、コネクタ位置保証デバイス２００が、コネクタ１０のラッチアーム２２に近接して位置決めされ、ラッチアーム２２に対して可動になっている。コネクタ位置保証デバイス２００は、コネクタ位置保証受入開口部３０に維持され、図６に示す第１の位置または開位置と、図１０に示す第２の位置または完全挿入位置との間で可動である。
【００１６】
図４および図５を参照すると、コネクタ位置保証デバイス２００は、ベース部分２０２と、ベース部分２０２から延びる２つの略平行な弾性変形可能ビーム２０４、２０５とを有する。ベース部分２０２は、上面２０６、底面２０８、ベース前端部２１０、およびベース後端部２１２を有する。ビーム２０４は、後端部２１２から離れる方向へ、前端部２１０から延びる。より完全に後述するように、ベース部分２０２の後端部２１２は操作部２１４を含み、操作者がコネクタ位置保証デバイス２００を手動で係合または起動することができるようになっている。図示した例示的な実施形態において、操作者操作部２１４は、後端部２１２の略全幅にわたって延びる。しかしながら、本発明の範囲から逸脱することなく他の構成を使用してもよい。ベース部分２１２の前端部２１０は、ベース部分２０２の上面２０６から延びるラッチ係合部２１６を含む。さらに後述するように、ラッチ係合部２１６はラッチ２２と相互作用するように構成される。
【００１７】
弾性変形可能ビーム２０４、２０５は全体として矩形である。各ビーム２０４、２０５は、上面２２０、底面２２２、ビーム前端部２２４、およびビーム後端部２２６を有する。各ビーム２０４、２０５の後端部２２６は、ベース部分２０２の前端部２１０に取り付けられるか、または前端部２１０と一体である。
【００１８】
前突起または第１のロックアウト突起係合部材２３０が、ビーム２０４、２０５の前端部２２４の間に延びる。前突起または第１のロックアウト突起係合部材２３０は、ビーム２０４、２０５の底面２２２から上面２２０を越えて延びる。引込み面２３２が、ビーム２０４、２０５の前端部および第１のロックアウト突起係合部材２３０にわたって延びる。第１のロックアウト突起係合部材２３０の後面２３４が、ビーム２０４、２０５の上面２２０に略垂直な方向へ延びる。
【００１９】
クロスビームまたは第２のロックアウト突起係合部材２４０が、ビーム２０４、２０５にわたって延びる。クロスビームまたは第２のロックアウト突起係合部材２４０は、前突起または第１のロックアウト突起係合部材２３０とベース部分２０２との間で離間している。クロスビームまたは第２のロックアウト突起係合部材２４０の長手方向軸が、ビーム２０４、２０５の長手方向軸に略垂直に延びる。クロスビームまたは第２のロックアウト突起係合部材２４０は、上面２４２、底面２４４、前側面２４６、および後側面２４８を有する。図６に最もよく示すように、ビーム２０４、２０５間に延びるクロスビームまたは第２のロックアウト突起係合部材２４０の前側面２４６の部分がテーパ状であって、ビーム２０４、２０５間の領域で第２のロックアウト突起係合部材２４０の底面２４４が第２のロックアウト突起係合部材２４０の上面２４２よりも幅広になっている。
【００２０】
クロスビームまたは第２のロックアウト突起係合部材２４０と一直線に、カム係合部材または起動爪係合部材２５０が設けられている。カム係合部材または起動爪係合部材２５０は、各ビーム２０４、２０５の側壁２５６から延びる。より完全に後述するように、カム係合部材または起動爪係合部材２５０は、起動突起１４０とより良好に協働するための傾斜面２５２を有する。
【００２１】
ロックアウト突起受入開口部２５４が、前突起または第１のロックアウト突起係合部材２３０とクロスビームまたは第２のロックアウト突起係合部材２４０との間、およびビーム２０４とビーム２０５との間に設けられている。ロックアウト突起受入開口部２５４は、コネクタ１０のロックアウト突起を受け入れるように構成されている。
【００２２】
弾性位置決めアーム２６０がベース部分２０２の底面２０８から延びる。弾性位置決めアーム２６０はＶ字形部材を形成し、側部を形成する。弾性位置決めアーム２６０の自由端に、第１のラッチ突起２６２が設けられている。第２のラッチ突起２６４が弾性位置決めアーム２６０に設けられ、第１のラッチ突起２６２から離間している。弾性位置決めアーム２６０はコネクタ１０と協働して、コネクタ位置保証デバイス２００がコネクタから外れることを防ぎ、相手側コネクタ１００との嵌合前に、コネクタ位置保証デバイス２００をコネクタ１０における第１の位置に保持する。
【００２３】
レール突起２７０がベース部分２０２の側壁から延びる。レール突起２７０はベース部分２０２の前端部２１０から後端部２１２へ延びる。レール部２７０の長手方向軸は、ビーム２０４、２０５の長手方向軸に略平行で、この長手方向軸と一直線である。レール突起２７０は、コネクタ１０のレール受入凹部と協働して、コネクタ位置保証デバイス２００を厳密に制御し、コネクタ１０のハウジング本体１２内で上下に位置合わせして維持する。このようなコネクタ１０におけるコネクタ位置保証デバイス２００の正確な位置合わせによって、コネクタ位置保証デバイス２００の第１のロックアウト突起係合部材２３０および第２のロックアウト突起係合部材２４０がコネクタ１０のロック爪または突起４０に適切に位置合わせされることを保証する。
加えて、コネクタ１０におけるコネクタ位置保証デバイス２００の正確な位置合わせによって、コネクタ位置保証デバイス２００のカム係合部材または起動爪係合部材２５０が、相手側コネクタ１００のコネクタ位置保証係合リブまたは起動突起１４０に適切に位置合わせされることを保証する。
【００２４】
図６〜図１０を参照すると、プラグまたはコネクタ１０をヘッダまたは相手側コネクタ１００に挿入する進行または方法が示される。
【００２５】
図６Ａおよび図６Ｂでは、コネクタ１０がヘッダコネクタ１００に大まかに位置決めされている。この位置では、ラッチ突起１１０はラッチ２２に係合していない。コネクタ位置保証デバイス２００は、嵌合前の開位置または第１の位置に維持される。この位置で、ラッチ２２は正常位置または非偏向位置にある。図６Ｃに最もよく示すように、コネクタ位置保証デバイス２００は、弾性位置決めアーム２６０の第１のラッチ突起２６２および第２のラッチ突起２６４と、コネクタ位置保証ラッチアーム受入開口部３２内へ延びる突起３３との協働によって、嵌合前の開位置または第１の位置に維持される。加えて、図６Ｂに最もよく示すように、コネクタ１０のロック爪または突起４０は、第１のロックアウト突起係合部材２３０と第２のロックアウト突起係合部材２４０との間のロックアウト突起受入開口部２５４に位置決めされる。
【００２６】
図７Ａおよび図７Ｂに示すように、コネクタ１０が相手側コネクタ１００のシュラウド１２０に部分的に挿入されると、ラッチ２２の係合面２３が動いて相手側コネクタ１００のラッチ突起１１０に係合する。挿入が継続されると、図８Ａおよび図８Ｂに示すように、ラッチ突起１１０によって、係合面２３とラッチ２２とがコネクタ１０の上面１９から離れてコネクタ１０の底面２０に向かって弾性的に起動または偏向する。例えば、コンタクト１３、１３０の不適切な位置合わせによりコネクタ１０が相手側コネクタ１００と適切に嵌合できない場合、相手側コネクタ１００内へのコネクタ１０の挿入の継続を防ぐことができる。これが行われると、ラッチ２２は図８Ａおよび図８Ｂに示す偏向位置にとどまる。この位置では、ラッチ２２がコネクタ位置保証デバイス２００のラッチ係合部２１６に係合して、コネクタ位置保証デバイス２００が嵌合後の第２の位置または挿入位置へ動くことを防ぐため、コネクタ位置保証デバイス２００は第２の位置または挿入位置へ動くことができない。
【００２７】
挿入が継続されると、図９Ａおよび図９Ｂに示すように、ラッチ２２はラッチ突起１１０を通り過ぎて、元の位置または応力を受けない位置へ戻ることができる。この位置で、ラッチ突起１１０はラッチ開口部２４に位置決めされ保持される。ラッチ突起１１０がラッチ２２のラッチ開口部２４に適切に位置決めされた状態で、コネクタ位置保証デバイス２００を嵌合前の開位置または第１の位置から嵌合後の第２の位置または挿入位置へ動かすことができる。これが行われると、カム係合部材または起動爪係合部材２５０は、相手側コネクタ１００のコネクタ位置保証係合突起１４０に係合して、カム係合部材または起動爪係合部材２５０と弾性変形可能ビーム２０４、２０５とをコネクタ１０の上面に向かって動かす。
これが行われると、第２のロックアウト突起係合部材２４０がコネクタのロックアウト爪または突起４０上に動くことにより、コネクタ１０へのコネクタ位置保証デバイス２００の挿入を継続することができる。しかしながら、コネクタ１０と相手側コネクタ１００とが完全に嵌合していない場合、カム係合部材または起動爪係合部材２５０はコネクタ位置保証係合突起１４０に係合しないことにより、弾性変形可能ビーム２０４、２０５と第２のロックアウト突起係合部材２４０とが動くことを防ぐ。これにより、第２のロックアウト突起係合部材２４０とロックアウト爪または突起４０との協働によって、コネクタ位置保証デバイス２００の挿入の継続を防ぐ。
【００２８】
弾性変形可能ビーム２０４、２０５が適切に偏向された状態で、コネクタ位置保証デバイス２００の挿入を継続することができる。挿入が継続されると、図１０Ａ、図１０Ｂ、および図１０Ｃに示すように、コネクタ位置保証デバイス２００は嵌合後の第２の位置または挿入位置へ動く。この位置で、カム係合部材または起動爪係合部材２５０は、相手側コネクタ１００のコネクタ位置保証係合突起１４０を越えて動き、カム係合部材または起動爪係合部材２５０と弾性変形可能ビーム２０４、２０５とが応力を受けない位置へ戻ることができる。この位置で、第２のロックアウト突起係合部材２４０は、コネクタのロックアウト爪または突起４０を通り過ぎて、嵌合後の閉位置または第２の位置へ動く。
【００２９】
図１０Ｃに最もよく示すように、コネクタ位置保証デバイス２００は、弾性位置決めアーム２６０の第２のラッチ突起２６４とコネクタ位置保証ラッチアーム受入開口部３２内へ延びる突起３３との協働によって、嵌合後の閉位置または第２の位置に維持される。
【００３０】
この完全挿入位置で、ラッチ係合突起１１０がラッチ２２の真下に位置決めされることにより、ラッチ２２が下方へ動くことを防ぐ。この位置で、コネクタ位置保証デバイス２００の上面２０６はラッチ２２の起動または動きを阻止して、相手側コネクタ１００からのコネクタ１０の望ましくないまたは意図しない分離を防ぐ。
【００３１】
コネクタ１０を相手側コネクタ１００から分離させる場合、コネクタ位置保証デバイス２００を初期位置へ戻す。これが行われると、コネクタ位置保証デバイス２００に挿入と反対の方向へ力が加えられて、カム係合部材または起動爪係合部材２５０が相手側コネクタ１００のコネクタ位置保証係合突起１４０に係合し、カム係合部材または起動爪係合部材２５０と弾性変形可能ビーム２０４、２０５とをコネクタ１０の上面に向かって動かす。これが行われると、第２のロックアウト突起係合部材２４０は、コネクタのロックアウト爪または突起４０上へ動くことにより、コネクタ位置保証デバイス２００を嵌合前の開位置または第１の位置へ動かすことができる。動きが継続されると、コネクタ位置保証デバイス２００の上面２０６がラッチ２２から離れて、ラッチ２２を押し下げることができ、これにより、コネクタ１０を相手側コネクタ１００から分離させることができる。
【図１】
2021519490.tif 000003
【図２】
2021519490.tif 000004
【図３】
2021519490.tif 000005
【図４】
2021519490.tif 000006
【図５】
2021519490.tif 000007
【図６Ａ】
2021519490.tif 000008
【図６Ｂ】
2021519490.tif 000009
【図６Ｃ】
2021519490.tif 000010
【図７Ａ】
2021519490.tif 000011
【図７Ｂ】
2021519490.tif 000012
【図８Ａ】
2021519490.tif 000013
【図８Ｂ】
2021519490.tif 000014
【図９Ａ】
2021519490.tif 000015
【図９Ｂ】
2021519490.tif 000016
【図１０Ａ】
2021519490.tif 000017
【図１０Ｂ】
2021519490.tif 000018
【図１０Ｃ】
2021519490.tif 000019
【国際調査報告】
2021519490.tif 000020
2021519490.tif 000021